(57)【要約】【課題】保守し易い簡易な構成で、所要の小空間について、清浄化した空気に、換気を効率良く行うことができる空気清浄装置及び飛沫拡散防止囲い換気清浄装置を提供する。【解決手段】軸流ファン型の送風機に空気清浄用のフィルタが装着された空気清浄装置であって、上方と前方に面する傾斜面に設けられた円形の吸気口１２と、該吸気口１２の中心を通る軸心を中心に回転する回転羽根２０が内蔵された軸流ファンボックス１０と、該軸流ファンボックス１０の背面１５及び底面１６のうちの少なくとも一方の面に設けられた排気口１３と、該排気口１３に張設されるように配されるシート状のフィルタ３１とを備える。【選択図】図１
0003231203.tif 000002
【実用新案登録請求の範囲】
【請求項１】
軸流ファン型の送風機に空気清浄用のフィルタが装着された空気清浄装置であって、
上方と前方に面する傾斜面に設けられた円形の吸気口と、
該吸気口の中心を通る軸心を中心に回転する回転羽根が内蔵された軸流ファンボックスと、
該軸流ファンボックスの背面及び底面のうちの少なくとも一方の面に設けられた排気口と、
該排気口に張設されるように配されるシート状の不織布フィルタとを備えることを特徴とする空気清浄装置。
【請求項２】
前記排気口が、前記軸流ファンボックスの背面及び底面の両方の面に設けられていることを特徴とする請求項１記載の空気清浄装置。
【請求項３】
前記排気口が、前記軸流ファンボックスの左右の側面のうちの少なくとも一方の面に設けられていることを特徴とする請求項１又は２記載の空気清浄装置。
【請求項４】
前記シート状の不織布フィルタが前記排気口に張設されるように配するための構成として、
前記排気口に配されて前記シート状の不織布フィルタを受ける部位になると共に複数の通気孔が設けられた排気口プレートと、
該排気口プレートの前記複数の通気孔と重なるように複数の通気孔を備え、前記シート状の不織布フィルタを前記排気口プレートとの間で挟んでカバーするカバープレートとを備えることを特徴とする請求項１〜３のいずれかに記載の空気清浄装置。
【請求項５】
少なくとも前面板及び両側面板で囲った飛沫拡散防止囲いの内側に、請求項１〜４のいずれかに記載の空気清浄装置が配されていることを特徴とする飛沫拡散防止囲い換気清浄装置。
【考案の詳細な説明】
【技術分野】
【０００１】
この考案は、軸流ファン型の送風機に空気清浄用のフィルタが装着された空気清浄装置及び飛沫拡散防止囲い換気清浄装置に関する。
【背景技術】
【０００２】
従来の換気システムとしては、例えば、建物内の居室に設けられた給気口及び排気口と、建物の外壁に設けられ、建物内に外気を導入可能な外気導入口とを備え、外気導入口から建物内に導入された外気を給気口に送る送風手段と、動作情報保存手段と、制御手段とを備え、動作情報保存手段は、４つの動作モードからなる動作情報を保存し、制御手段は、動作情報保存手段に保存された動作情報から選定される動作モードに基づいて送風手段の動作を制御する（特許文献１参照）建物換気システムが提案されている。この建物換気システムによれば、夜間の居室の熱こもりをより少ないエネルギーで効率よく軽減して快適な室内環境を実現することができる。
【０００３】
また、従来の空気清浄装置としては、例えば、支持板と屋根材との間にパンチングメタルにより形成された中間壁板が、支持板と屋根材との間の外壁板に囲まれた空間を同軸状に仕切るように配置され、中間壁板の内周側にパンチングメタルにより形成された内壁板が、支持板と屋根材との間の中間壁板に囲まれた空間を同軸状に仕切るように配置され、中間壁板と内壁板との間にヘパフィルタが円筒状に巻かれて配置され、支持板の中心支持部の下面側にはモータが取り付けられ、モータの回転軸に円板状のファンの中心が取り付けられている（特許文献１参照）ものが提案されている。
【先行技術文献】
【特許文献】
【０００４】
【特許文献１】特開２０１５−２００４３７号公報（第１頁）
【特許文献２】特開平１１−３５１６２３号公報（第１頁）
【考案の概要】
【考案が解決しようとする課題】
【０００５】
空気清浄装置及び飛沫拡散防止囲い換気清浄装置に関して解決しようとする問題点は、従来の装置では、部屋の空間全体の空気を換気或いは清浄するように設計されているが、特定の空気清浄フィルタを必要とするもので、保守管理を簡便に行うことが難しく、局所の所要の小空間について、清浄化した空気に、換気を効率良く行うことが難しい点にある。
【０００６】
そこで本考案の目的は、保守し易い簡易な形態で、所要の小空間について、清浄化した空気に、換気を効率良く行うことができる空気清浄装置及び飛沫拡散防止囲い換気清浄装置を提供することにある。
【課題を解決するための手段】
【０００７】
本考案は、上記目的を達成するために次の構成を備える。
本考案に係る空気清浄装置の一形態によれば、軸流ファン型の送風機に空気清浄用のフィルタが装着された空気清浄装置であって、上方と前方に面する傾斜面に設けられた円形の吸気口と、該吸気口の中心を通る軸心を中心に回転する回転羽根が内蔵された軸流ファンボックスと、該軸流ファンボックスの背面及び底面のうちの少なくとも一方の面に設けられた排気口と、該排気口に張設されるように配されるシート状の不織布フィルタとを備える。
【０００８】
本考案に係る空気清浄装置の一形態によれば、前記排気口が、前記軸流ファンボックスの背面及び底面の両方の面に設けられていることを特徴とすることができる。
【０００９】
本考案に係る空気清浄装置の一形態によれば、前記排気口が、前記軸流ファンボックスの左右の側面のうちの少なくとも一方の面に設けられていることを特徴とすることができる。
【００１０】
本考案に係る空気清浄装置の一形態によれば、前記シート状の不織布フィルタが前記排気口に張設されるように配するための構成として、前記排気口に配されて前記シート状の不織布フィルタを受ける部位になると共に複数の通気孔が設けられた排気口プレートと、該排気口プレートの前記複数の通気孔と重なるように複数の通気孔を備え、前記シート状の不織布フィルタを前記排気口プレートとの間で挟んでカバーするカバープレートとを備えることを特徴とすることができる。
【００１１】
本考案に係る飛沫拡散防止囲い換気清浄装置の一形態によれば、少なくとも前面板及び両側面板で囲った飛沫拡散防止囲いの内側に、前記の空気清浄装置が配されていることを特徴とすることができる。
【考案の効果】
【００１２】
本考案に係る空気清浄装置及び飛沫拡散防止囲い換気清浄装置によれば、保守し易い簡易な構成で、所要の小空間について、清浄化した空気に、効率良く換気ができるという特別有利な効果を奏する。
【図面の簡単な説明】
【００１３】
【図１】本考案に係る空気清浄装置の形態例を示す断面図である。
【図２】図１の形態例を示す斜視図である。
【図３】本考案に係る空気清浄装置の他の形態例を示す斜視図である。
【図４】本考案に係る空気清浄用フィルタユニットの形態例を示す分解図である。
【図５】本考案に係る飛沫拡散防止囲い換気清浄装置の形態例を示す斜視図である。
【考案を実施するための形態】
【００１４】
以下、本考案に係る空気清浄装置及び飛沫拡散防止囲い換気清浄装置の形態例を、添付図面（図１〜５）に基づいて詳細に説明する。
本考案に係る空気清浄装置は、基本構造として、軸流ファン型の送風機に空気清浄用のフィルタが装着されたものであって、室内の空気を循環させて清浄化させるものである。
【００１５】
本考案に係る空気清浄装置では、上方と前方に面する傾斜面１１に設けられた円形の吸気口１２を備えている。この吸気口１２が、例えば、新型コロナウィルス感染症で問題となっている飛沫や、花粉症で問題となっている微粒子などで汚染された空気を吸入する通気口になっている。なお、１９は吸入口カバーであり、複数のスリットが形成された格子状に通気口が設けられ、後述する回転羽根２０に利用者接触しないための安全カバーになっている。
【００１６】
１０は軸流ファンボックスであり、吸気口１２の中心を通る軸心を中心に回転する回転羽根２０が内蔵されたケーシングになっている。この回転羽根２０は、プロペラ型の送風羽根であり、換気扇や扇風機に用いられている騒音（風切り音）を低減できるものを転用することができる。なお、２１はモータであり、回転羽根２０を回転させる動力装置になっており、図示しない支持部材によって軸流ファンボックス１０内に配置されている。
【００１７】
１３は排気口であり、軸流ファンボックス１０の背面１５及び底面１６のうちの少なくとも一方の面に設けられている。なお、本形態例では、図１及び２に記載に示すように、排気口１３が、軸流ファンボックス１０の背面１５及び底面１６の両方の面に設けられている。
【００１８】
３１はシート状の不織布フィルタであり、排気口１３に張設されるように配されている。本形態例のシート状の不織布フィルタ３１としては、市販マスクに広く使用されているものであって、例えば、微粒子を高効率で捕捉できる静電フィルタが用いられている。
【００１９】
これによれば、簡易な構成であって、シート状の不織布フィルタ３１を用いることができるため、簡便に保守管理を行うことができる。例えば、市販マスクを排気口１３に張設することで、特定形態のシート状の不織布フィルタ３１に代用することもでき、前述のような飛沫や微粒子を除去して、空気を効果的に清浄化できる。
【００２０】
また、本形態例のように、軸流ファンボックス１０の背面１５及び底面１６の両方の面に排気口１３が設けられ、それぞれにシート状の不織布フィルタ３１が配されていることで、通気抵抗を低減できると共に、そのシート状の不織布フィルタ３１を通過する空気の流速を低減できる。このため、清浄化処理風量を高めることができると共に、空気の清浄効率を高めることができ、特に所要の小空間について、清浄化した空気に、効率良く換気ができるという特別有利な効果を奏する。
【００２１】
また、図３に示す形態例のように、排気口１３を、前述の軸流ファンボックス１０の背面１５や底面１６に加えて、軸流ファンボックス１０の左右の側面（左側面１７、右側面１８）のうちの少なくとも一方の面に設けることもできる。これによれば、シート状の不織布フィルタ３１の濾過面積をさらに広くすることができることから、シート状の不織布フィルタ３１を通過する空気の流速をさらに低減でき、そのシート状の不織布フィルタ３１を通過する空気の通気抵抗をさらに低減できる。このため、清浄化処理風量をより高めることができると共に、空気の清浄効率をより高めることができ、特に所要の小空間について、清浄化した空気に、より効率良く換気ができる。
【００２２】
また、本形態例では、図４に示すように、シート状の不織布フィルタ３１が排気口１３に張設されるように配するための構成として、排気口１３に配されてシート状の不織布フィルタ３１を受ける部位になると共に複数の通気孔が設けられた排気口プレート３２と、その排気口プレート３２の複数の通気孔３２ａと重なるように複数の通気孔３３ａを備え、シート状の不織布フィルタ３１を排気口プレート３２との間で挟んでカバーするカバープレート３３とを備えている。
【００２３】
これによれば、シート状の不織布フィルタ３１を排気口１３に張設されるように適切に配することができる。そして、この構成によれば、構造が簡易であり、保守管理がし易い形態となっている。すなわち、この形態例によれば、排気口１３に排気口プレート３２を固定した形態としておき、その排気口プレート３２の面にシート状の不織布フィルタ３１を重ねて張った状態に配し、そのシート状の不織布フィルタ３１にカバープレート３３を重ね、そのカバープレート３３によってそのシート状の不織布フィルタ３１を保持する形態とすることができる
【００２４】
なお、このシート状の不織布フィルタ３１が、排気口プレート３２とカバープレート３３とによって挟まれることによって構成されるフィルタユニット（空気清浄用フィルタユニット３０）の形態は、一体的に形成されることで、排気口１３の面へ、スライドさせて取り付けることができるように設けられていても良い。すなわち、図４に示すように、それぞれを別々に分解することが可能に設けられていることで、シート状の不織布フィルタ３１のみを交換できるようにしてもよいが、空気清浄用フィルタユニット３０として一体的に形成することで、排気口１３の面にスライドさせて抜き差しできる形態として装着できるようにしてもよい。
【００２５】
また、本形態例の通気孔３２ａ、３３ａは円形の開口に設けられている。これによれば、シート状の不織布フィルタ３１が排気口プレート３２上に適切に張られた状態に配されるように、排気口プレート３２の剛性強度を適切に得ることができると共に、大きな面積の開口を得ることができる。なお、この通気孔３２ａ、３３ａは、この形態に限定されるものではなく、格子状などの他の形状であっても、所要以上の強度と所要以上の開口率を備えるものであればよいのは勿論である。
【００２６】
以上に説明した空気清浄装置によれば、新型コロナウィルス感染症で問題となっている飛沫の拡散を防止するようにアクリル板などで形成された仕切の内側５５に配することで、その内側５５の空間の空気を効率よく清浄化できる。すなわち、例えば、演台６０（図５参照）を囲うように、少なくとも前面板５１及び両側面板５２、５２で囲った飛沫拡散防止囲い５０の内側に、前記空気清浄装置（軸流ファンボックス１０）が配されていることで、飛沫の拡散を防止して空気を効率よく清浄化できる。また、本発明は、ブース状に仕切られたスペースが設けられたサイトなど、例えば、飲食店などの感染予防対策がなされた施設においても、好適に適用することができる。
【００２７】
また、図５に示した形態例のように、飛沫拡散防止囲い５０に天面板５３が設けられていることで、清浄化すべき空間をより限定することができるため、空気を効率よく循環させて清浄化させることができる。なお、図５に示した形態例では、実施例として直径２０ｃｍ程度のプロペラ形状の回転羽根を備える軸流ファンを用いた場合で、１ｍ３／ｍｉｎ程度の換気を行うことができ、飛沫拡散防止囲い５０の内側の小空間について、その空気をより効率良く清浄化できることが実証された。
【００２８】
また、本形態例の空気清浄機によれば、上面と前面に面する傾斜面１１から空気を吸い込み、背面１５及び底面１６や左側面１７及び右側面１８から清浄化した空気を排出するように空気が流れるため、適切な換気がなされると共に、清浄化された空気が効率良く循環できる。このため、図５に示した飛沫拡散防止囲い５０によって形成される比較的小さな空間に適しており、飛沫の拡散を防止して飛沫拡散防止囲い５０の内側の空間を効率良く清浄化できる。
【００２９】
以上、本考案につき好適な形態例を挙げて種々説明してきたが、本考案はこの形態例に限定されるものではなく、考案の精神を逸脱しない範囲内で多くの改変を施し得るのは勿論のことである。
【符号の説明】
【００３０】
１０  軸流ファンボックス
１１  傾斜面
１２  吸気口
１３  排気口
１５  背面
１６  底面
１７  左側面
１８  右側面
１９  吸入口カバー
２０  回転羽根
２１  モータ
３０  空気清浄用フィルタユニット
３１  シート状の不織布フィルタ
３２  排気口プレート
３２ａ  通気孔
３３  カバープレート
３３ａ  通気孔
５０  飛沫拡散防止囲い
５１  前面板
５２  側面板
５３  天面板
５５  内側
６０  演台
【図１】
0003231203.tif 000003
【図２】
0003231203.tif 000004
【図３】
0003231203.tif 000005
【図４】
0003231203.tif 000006
【図５】
0003231203.tif 000007